【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
画像形成装置に用いられる電子写真感光体に残留する現像剤を除去するためのクリーニングブレードにおいて、
前記電子写真感光体との当接部において、絶縁性微粒子と導電性微粒子とを有する潤滑剤が塗布されており、前記絶縁性微粒子の体積基準のＤ５０における粒径は０．２〜１．０μｍの範囲にあり、前記導電性微粒子の体積基準でのＤ５０における粒径は０．４〜４．０μｍの範囲にあり、前記導電性微粒子の体積基準のＤ５０における粒径は、前記絶縁性微粒子の体積基準のＤ５０における粒径よりも大きい範囲にある、ここで、Ｄ５０とは粒度分布において小さい粒径側からの体積の積算が５０％に到達する時のことである、ことを特徴とするクリーニングブレード。
【請求項２】
前記絶縁性微粒子は、シリコーン樹脂微粉末であることを特徴とする請求項１記載のクリーニングブレード。
【請求項３】
前記導電性微粒子は、還元処理型酸化スズであることを特徴とする請求項１又は２記載のクリーニングブレード。
【請求項４】
前記導電性微粒子は、疎水化処理されていることを特徴とする請求項１乃至３のいずれかに記載のクリーニングブレード。
【請求項５】
前記絶縁性微粒子の体積基準のＤ５０における粒径は０．６〜０．８μｍの範囲にあり、前記導電性微粒子の体積基準でのＤ５０における粒径は１．０〜２．０μｍの範囲にあることを特徴とする請求項１乃至４のいずれかに記載のクリーニングブレード。
【請求項６】
前記導電性微粒子の体積抵抗率は、１０５Ωｃｍ以下であり、前記導電性微粒子の添加量は、前記潤滑剤の総重量の２０％〜８０％であることを特徴とする請求項１乃至５のいずれかに記載のクリーニングブレード。
【請求項７】
前記導電性微粒子の添加量は、前記潤滑剤の総重量の２０％〜５０％であることを特徴とする請求項６記載のクリーニングブレード。
【請求項８】
画像形成装置に用いられるクリーニング装置において、
電子写真感光体に残留する現像剤を除去するためのクリーニングブレードであって、前記電子写真感光体との当接部において、絶縁性微粒子と導電性微粒子とを有する潤滑剤が塗布されており、前記絶縁性微粒子の体積基準でのＤ５０における粒径は０．２〜１．０μｍの範囲にあり、前記導電性微粒子の体積基準でのＤ５０における粒径は０．４〜４．０μｍの範囲にあり、前記導電性微粒子の体積基準のＤ５０における粒径は、前記絶縁性微粒子の体積基準のＤ５０における粒径よりも大きい範囲にあるクリーニングブレードを有する、ここで、Ｄ５０とは粒度分布において小さい粒径側からの体積の積算が５０％に到達する時のことであることを特徴とするクリーニング装置。
【請求項９】
前記絶縁性微粒子は、シリコーン樹脂微粉末であることを特徴とする請求項８記載のクリーニング装置。
【請求項１０】
前記導電性微粒子は、還元処理型酸化スズであることを特徴とする請求項８又は９記載のクリーニング装置。
【請求項１１】
前記導電性微粒子は、疎水化処理されていることを特徴とする請求項８乃至１０のいずれかに記載のクリーニング装置。
【請求項１２】
前記絶縁性微粒子の体積基準でのＤ５０における粒径は０．６〜０．８μｍの範囲にあり、前記導電性微粒子の体積基準でのＤ５０における粒径は１．０〜２．０μｍの範囲にあることを特徴とする請求項８乃至１１のいずれかに記載のクリーニング装置。
【請求項１３】
前記導電性微粒子の体積抵抗率は、１０５Ωｃｍ以下であり、前記導電性微粒子の添加量は、前記潤滑剤の総重量の２０％〜８０％であることを特徴とする請求項８乃至１２のいずれかに記載のクリーニング装置。
【請求項１４】
前記導電性微粒子の添加量は、前記潤滑剤の総重量の２０％〜５０％であることを特徴とする請求項１３記載のクリーニング装置。
【請求項１５】
画像形成装置本体に着脱可能なプロセスカートリッジにおいて、
電子写真感光体と、
前記電子写真感光体を帯電する帯電手段と、
前記電子写真感光体に残留する現像剤を除去するためのクリーニングブレードであって、前記電子写真感光体との当接部において、絶縁性微粒子と導電性微粒子とを有する潤滑剤が塗布されており、前記絶縁性微粒子の体積基準でのＤ５０における粒径は０．２〜１．０μｍの範囲にあり、前記導電性微粒子の体積基準でのＤ５０における粒径は０．４〜４．０μｍの範囲にあり、前記導電性微粒子の体積基準のＤ５０における粒径は、前記絶縁性微粒子の体積基準のＤ５０における粒径よりも大きい範囲にあるクリーニングブレードと、ここで、Ｄ５０とは粒度分布において小さい粒径側からの体積の積算が５０％に到達する時のことである、
とを有することを特徴とするプロセスカートリッジ。
【請求項１６】
前記絶縁性微粒子は、シリコーン樹脂微粉末であることを特徴とする請求項１５記載のプロセスカートリッジ。
【請求項１７】
前記導電性微粒子は、還元処理型酸化スズであることを特徴とする請求項１５又は１６記載のプロセスカートリッジ。
【請求項１８】
前記導電性微粒子は、疎水化処理されていることを特徴とする請求項１５乃至１７のい
ずれかに記載のプロセスカートリッジ。
【請求項１９】
前記絶縁性微粒子の体積基準でのＤ５０における粒径は０．６〜０．８μｍの範囲にあり、前記導電性微粒子の体積基準でのＤ５０における粒径は１．０〜２．０μｍの範囲にあることを特徴とする請求項１５乃至１８のいずれかに記載のプロセスカートリッジ。
【請求項２０】
前記導電性微粒子の体積抵抗率は、１０５Ωｃｍ以下であり、前記導電性微粒子の添加量は、前記潤滑剤の総重量の２０％〜８０％であることを特徴とする請求項１５乃至１９のいずれかに記載のプロセスカートリッジ。
【請求項２１】
前記導電性微粒子の添加量は、前記潤滑剤の総重量の２０％〜５０％であることを特徴とする請求項２０記載のプロセスカートリッジ。
【請求項２２】
記録媒体に画像を形成するための画像形成装置において、
（ａ）電子写真感光体と、
（ｂ）前記電子写真感光体に残留する現像剤を除去するためのクリーニングブレードであって、前記電子写真感光体との当接部において、絶縁性微粒子と導電性微粒子とを有する潤滑剤が塗布されており、前記絶縁性微粒子の体積基準でのＤ５０における粒径は０．２〜１．０μｍの範囲にあり、前記導電性微粒子の体積基準でのＤ５０における粒径は０．４〜４．０μｍの範囲にあり、前記導電性微粒子の体積基準のＤ５０における粒径は、前記絶縁性微粒子の体積基準のＤ５０における粒径よりも大きい範囲にあるクリーニングブレードを有するクリーニング装置と、ここで、Ｄ５０とは粒度分布において小さい粒径側からの体積の積算が５０％に到達する時のことである、
を有することを特徴とする画像形成装置。
【手続補正２】
【補正対象書類名】明細書
【補正対象項目名】００１６
【補正方法】変更
【補正の内容】
【００１６】
そのため、クリーニングブレードをすり抜けた、あるいは過剰に塗布されたクリーニングブレード上のシリコーン樹脂微粉末が感光体上に付着し、下流の接触帯電部材に付着する問題があった。
そこで、本発明はこのような問題を解決するためになされたもので、その目的は、電子写真感光体が移動することによってクリーニングブレードがめくれるのを防止することができる、クリーニングブレード、クリーニング装置、プロセスカートリッジ、及び、それらを用いた画像形成装置を提供することにある。
また、本発明の他の目的は、クリーニングブレードと、クリーニングブレードと電子写真感光体との当接部に塗布された絶縁性微粒子との密着性を向上させた、クリーニングブレード、クリーニング装置、プロセスカートリッジ、及び、それらを用いた画像形成装量を提供することにある。
また、本発明の他の目的は、クリーニング部材と、クリーニング部材と電子写真感光体との当接部に塗布された絶縁性微粒子が電子写真感光体に付着することによって、帯電手段によって電子写真感光体を十分に帯電できなくなるのを防止するができる、クリーニングブレード、クリーニング装置、プロセスカートリッジ、及び、それらを用いた画像形成装置を提供することにある。
【手続補正３】
【補正対象書類名】明細書
【補正対象項目名】００１７
【補正方法】変更
【補正の内容】
【００１７】
上記の目的を達成する為、本発明は、画像形成装置に用いられる電子写真感光体に残留する現像剤を除去するためのクリーニングブレードにおいて、前記電子写真感光体との当接部において、絶縁性微粒子と導電性微粒子とを有する潤滑剤が塗布されており、前記絶縁性微粒子の体積基準のＤ５０における粒径は０．２〜１．０μｍの範囲にあり、前記導電性微粒子の体積基準でのＤ５０における粒径は０．４〜４．０μｍの範囲にあり、前記導電性微粒子の体積基準のＤ５０における粒径は、前記絶縁性微粒子の体積基準のＤ５０における粒径よりも大きい範囲にある、ここで、Ｄ５０とは粒度分布において小さい粒径側からの体積の積算が５０％に到達する時のことである、ことを特徴とする。
【手続補正４】
【補正対象書類名】明細書
【補正対象項目名】００１８
【補正方法】変更
【補正の内容】
【００１８】
また上記の目的を達成する為、本発明は、画像形成装置に用いられるクリーニング装置において、電子写真感光体に残留する現像剤を除去するためのクリーニングブレードであって、前記電子写真感光体との当接部において、絶縁性微粒子と導電性微粒子とを有する潤滑剤が塗布されており、前記絶縁性微粒子の体積基準でのＤ５０における粒径は０．２〜１．０μｍの範囲にあり、前記導電性微粒子の体積基準でのＤ５０における粒径は０．４〜４．０μｍの範囲にあり、前記導電性微粒子の体積基準のＤ５０における粒径は、前記絶縁性微粒子の体積基準のＤ５０における粒径よりも大きい範囲にあるクリーニングブレードを有する、ここで、Ｄ５０とは粒度分布において小さい粒径側からの体積の積算が５０％に到達する時のことであることを特徴とする。
【手続補正５】
【補正対象書類名】明細書
【補正対象項目名】００１９
【補正方法】変更
【補正の内容】
【００１９】
また上記の目的を達成する為、本発明は、画像形成装置本体に着脱可能なプロセスカートリッジにおいて、電子写真感光体と、前記電子写真感光体を帯電する帯電手段と、前記電子写真感光体に残留する現像剤を除去するためのクリーニングブレードであって、前記電子写真感光体との当接部において、絶縁性微粒子と導電性微粒子とを有する潤滑剤が塗布されており、前記絶縁性微粒子の体積基準でのＤ５０における粒径は０．２〜１．０μｍの範囲にあり、前記導電性微粒子の体積基準でのＤ５０における粒径は０．４〜４．０μｍの範囲にあり、前記導電性微粒子の体積基準のＤ５０における粒径は、前記絶縁性微粒子の体積基準のＤ５０における粒径よりも大きい範囲にあるクリーニングブレードと、ここで、Ｄ５０とは粒度分布において小さい粒径側からの体積の積算が５０％に到達する時のことである、とを有することを特徴とする。
さらに上記の目的を達成する為、本発明は、記録媒体に画像を形成するための画像形成装置において、（ａ）電子写真感光体と、（ｂ）前記電子写真感光体に残留する現像剤を除去するためのクリーニングブレードであって、前記電子写真感光体との当接部において、絶縁性微粒子と導電性微粒子とを有する潤滑剤が塗布されており、前記絶縁性微粒子の体積基準でのＤ５０における粒径は０．２〜１．０μｍの範囲にあり、前記導電性微粒子
の体積基準でのＤ５０における粒径は０．４〜４．０μｍの範囲にあり、前記導電性微粒子の体積基準のＤ５０における粒径は、前記絶縁性微粒子の体積基準のＤ５０における粒径よりも大きい範囲にあるクリーニングブレードを有するクリーニング装置と、ここで、Ｄ５０とは粒度分布において小さい粒径側からの体積の積算が５０％に到達する時のことである、を有することを特徴とする。